(57)【要約】【課題】  計測値表示装置と、パソコン等の電子データの処理装置との間で、計測手段により計測した計測値あるいはその積算値又は履歴等の情報を無線により容易に転送することができて、入力作業の簡素化が可能となり、また、これにあたり見栄えが悪くなることのない計測値表示装置を提供する。【解決手段】  エネルギー又は水資源の消費量又は生成量を計測する計測手段と、前記計測手段により計測した計測値あるいはその積算値又は履歴等の情報を表示するための表示手段とを備えた計測値表示装置において、前記情報を無線で送信するための無線送信部を備えた。【選択図】図１
2008134727.tif 000002
【特許請求の範囲】
【請求項１】
エネルギー又は水資源の消費量又は生成量を計測する計測手段と、前記計測手段により計測した計測値あるいはその積算値又は履歴等の情報を表示するための表示手段とを備えた計測値表示装置において、前記情報を無線で送信するための無線送信部を備えて成ることを特徴とする計測値表示装置。
【請求項２】
エネルギー又は水資源の消費量又は生成量を計測する計測手段と、前記計測手段により計測した計測値あるいはその積算値又は履歴等の情報を表示するための表示手段とを備えた計測値表示装置において、外部の無線の送信部からの無線を受信するための無線受信部を備えて成ることを特徴とする計測値表示装置。
【請求項３】
エネルギー又は水資源の消費量又は生成量を計測する計測手段と、前記計測手段により計測した計測値あるいはその積算値又は履歴等の情報を表示するための表示手段とを備えた計測値表示装置において、前記情報を無線で送信するための無線送信部を備えると共に、外部の無線の送信部からの無線を受信するための無線受信部を備えて成ることを特徴とする計測値表示装置。
【発明の詳細な説明】
【技術分野】
【０００１】
本発明は、エネルギー又は水資源の消費量又は生成量を検針者に表示するための計測値表示装置に関するものである。
【背景技術】
【０００２】
家庭で消費されるガス、水道、電力は、それぞれ検針者がガスメーター、水道メーター（例えば特許文献１参照）、電力メーターの表示値を検針することで行っている。また近年、家庭で太陽光等による発電を行い、生成した電力を売電することが行われてきているが、この時、発電量をメーターによって表示したりしている。
【０００３】
このように従来より、エネルギー又は水資源の消費量又は生成量を計測する計測手段と、前記計測手段により計測した計測値を表示するための表示手段とを備えた計測値表示装置が使用されているが、このものにあっては、検針者（使用者も含む）が表示手段に表示される計測値やその積算値、履歴等の情報を目視して認識することが前提となっており、計測値表示装置にパソコン等の電子データの処理装置や外部記憶手段等の機器を接続して計測値データを送受信することは想定されていない。このため、計測値やその積算値、履歴等の情報をグラフにしたり分析したりする場合には、図３に示すような表示画面に表示される前記情報を読み取って、パソコン等に手入力する必要があり、作業が面倒であった。また、パソコン等の電子データの処理装置を配線で接続して有線通信を行うための端子を設けようとすると、配線の接続端子を設ける必要が生じて見栄えが悪くなると共に、重い装置を配線で接続できる範囲内に移動させる必要があり、この作業も面倒なものである。また、軽量の外部記憶装置やメモリ等の機器に情報を転送しようとする場合、これらの接続スロットを設ける必要が生じて見栄えが悪くなるものであった。
【０００４】
また、このような計測値表示装置に何らかの情報を入力して、表示手段に表示させたりすることもあるが、このような場合、従来では図４に示すように、表示画面にタッチパネル等の入力機能を具備させていたが、この場合、入力作業が煩雑となってしまうものであった。
【特許文献１】特開平６−３３１４０２号公報
【発明の開示】
【発明が解決しようとする課題】
【０００５】
本発明は上記の点に鑑みてなされたものであり、その目的とするところは、計測値表示装置と、パソコン等の電子データの処理装置との間で、計測手段により計測した計測値あるいはその積算値又は履歴等の情報を無線により容易に転送することができて、入力作業の簡素化が可能となり、また、これにあたり見栄えが悪くなることのない計測値表示装置を提供することを課題とするものである。
【課題を解決するための手段】
【０００６】
上記課題を解決するために請求項１に係る発明にあっては、エネルギー又は水資源の消費量又は生成量を計測する計測手段と、前記計測手段により計測した計測値あるいはその積算値又は履歴等の情報を表示するための表示手段とを備えた計測値表示装置において、前記情報を無線で送信するための無線送信部を備えて成ることを特徴とするものである。
【０００７】
このような構成とすることで、計測手段により計測した計測値あるいはその積算値又は履歴等の情報を無線により容易にパソコン等の電子データの処理装置に転送することができ、また、見栄えが悪くなることもないものである。
【０００８】
また請求項２に係る発明にあっては、エネルギー又は水資源の消費量又は生成量を計測する計測手段と、前記計測手段により計測した計測値あるいはその積算値又は履歴等の情報を表示するための表示手段とを備えた計測値表示装置において、外部の無線の送信部からの無線を受信するための無線受信部を備えて成ることを特徴とするものである。
【０００９】
このような構成とすることで、予め入力して作成しておいた送信情報を外部の送信部から送信して計測値表示装置の無線受信部にて受信して、表示手段に内容を表示させたりすることができ、計測値表示装置での入力作業が煩雑となるのを防止することができ、また、見栄えが悪くなることもないものである。
【００１０】
また請求項３に係る発明にあっては、エネルギー又は水資源の消費量又は生成量を計測する計測手段と、前記計測手段により計測した計測値あるいはその積算値又は履歴等の情報を表示するための表示手段とを備えた計測値表示装置において、前記情報を無線で送信するための無線送信部を備えると共に、外部の無線の送信部からの無線を受信するための無線受信部を備えて成ることを特徴とするものである。
【００１１】
このような構成とすることで、計測手段により計測した計測値あるいはその積算値又は履歴等の情報を無線により容易にパソコン等の電子データの処理装置に転送することができると共に、予め入力して作成しておいた送信情報を外部の送信部から送信して計測値表示装置の無線受信部にて受信して、表示手段に内容を表示させたりすることができ、計測値表示装置での入力作業が煩雑となるのを防止することができ、また、見栄えが悪くなることもないものである。
【発明の効果】
【００１２】
本発明にあっては、計測値表示装置と、パソコン等の電子データの処理装置との間で、計測手段により計測した計測値あるいはその積算値又は履歴等の情報を無線により容易にに転送することができて、入力作業の簡素化が可能となり、これにあたり見栄えが悪くなるのを防止することができる。
【発明を実施するための最良の形態】
【００１３】
以下、本発明を添付図面に示す実施形態に基いて説明する。本発明の計測値表示装置にあっては、主に家庭で消費されるガス、水道、消費電力の量を計測して表示するガスメーター、水道メーター、電力メーターや、家庭での太陽光等による発電量を計測して表示するメーターのように、パソコンや外部記憶手段等の機器を接続して計測値データを送受信することを想定していない計測値表示装置が前提となっている。なお、計測する物理量としては前記ガス、水道、消費電力、発電量に限定されない。
【００１４】
計測値表示装置は、計測手段と、表示手段とで主体が構成される。計測手段は、主に上記ガス、水道、消費電力、発電量のようなエネルギー又は水資源の消費量又は生成量を計測するもので、計測量に応じた電圧又は電流を出力するセンサー部と、センサー部からのアナログの電圧又は電流をデジタル信号に変換するＡ／Ｄ変換部と、前記デジタル信号から計測値を求める演算部と記憶部とを備えており、更にセンサー部からの出力を増幅する増幅部を設けてもよい。
【００１５】
表示手段は、前記計測手段の演算部から出力される計測値（デジタル信号）を出力表示する画面と、該画面に出力表示する出力制御部とを備えている。出力制御部、上記計測手段の演算部や記憶部は電子回路からなる制御部によってその機能が達成されている。画面は、例えば液晶画面からなり、出力制御部からの出力信号に基づいて数値やグラフを表示することができる。
【００１６】
計測手段により計測される物理量は本実施形態では計測時における発電電力および消費電力（ｋＷ）で、制御部により、前記発電電力および消費電力の履歴を記憶部に記憶したり、前記発電電力および消費電力を積算して前記発電電力および消費電力の積算値（ｋＷｈ）を算出したり、グラフや表を作成するための情報を求めている。図１に示す例では、一日単位の消費電力量、発電電力量の履歴の情報を表示、及び後述するように送信するものである。
【００１７】
そして本発明では、上記のような情報を無線で送信するための無線送信部を備えている。無線としては特に限定されないが、赤外線は、送信エリアが限定されるため、個人情報を最小限の相手に送信することができるので好ましい。無線送信部は、制御部の演算部により求められた計測値や、その積算値や履歴、グラフ等の情報をパルス列からなる送信信号に変換する変換部と、変換部で変換された送信信号を発信する発信部１とを備えている。
【００１８】
一方、上記無線送信部に対応する受信部は、パソコン等の電子データの処理装置側に具備されるもので、これにより、無線送信部からの送信信号を受信部にて受信して、前記処理装置での各種処理が可能となる。図１に示される実施形態では、処理装置として携帯電話の端末Ｔが示してある。
【００１９】
このような構成とすることで、計測手段により計測した計測値あるいはその積算値又は履歴等の情報を無線により容易にパソコン等の電子データの処理装置に転送することができて、しかも、接続端子や接続スロットといった溝や孔の開口を表面に形成する必要がないため、計測値表示装置の見栄えが悪くなることもないものである。
【００２０】
次に、他の実施形態について図２に基づいて説明する。この図２に示される実施形態は図１に示される上実施形態と基本的に同じであるため同じ部分についての説明は省略し、異なる部分について説明する。
【００２１】
本実施形態では、計測値表示装置が外部からの無線の送信情報を受信するための無線受信部を備えている。無線としては赤外線をはじめ種々のものが挙げられるが特に限定されない。無線受信部は、受信部２で受信したパルス列からなる無線の送信信号を感知して電気信号に変換する受信部２を備え、前記電気信号から各種情報を制御部にて処理されて、記憶部に記憶させたり出力制御部により表示手段に内容が表示されたりするものである。
【００２２】
一方、上記無線受信部に対応する送信部は、パソコン等の電子データの処理装置側に具備されるもので、図２に示される実施形態では、処理装置としての携帯電話の端末Ｔに送信部が設けてある。これにより、処理装置側から、予め入力して作成しておいた送信情報を送信部から送信して計測値表示装置の無線受信部にて受信して、記憶部に記憶させたり表示手段に内容を表示させたりすることができ、計測値表示装置での入力作業が煩雑であるといった問題が解決される。
【００２３】
また、特に図示はしないが、計測値表示装置が無線受信部と無線送信部とを併せ持つものであってもよく、この場合、上述した両方の効果が得られるものである。
【図面の簡単な説明】
【００２４】
【図１】本発明の計測値表示装置の一例の斜視図である。
【図２】本発明の計測値表示装置の他例の斜視図である。
【図３】従来の計測値表示装置の一例の斜視図である。
【図４】従来の計測値表示装置の他例の斜視図である。
【図１】
2008134727.tif 000003
【図２】
2008134727.tif 000004
【図３】
2008134727.tif 000005
【図４】
2008134727.tif 000006